(57)【要約】【課題】  間接活線工具の特性を考慮して予め間接活線工具の防水性を確実に判断することができ、したがって水が浸入するおそれがない間接活線工具のみを作業に用いることができ、作業の確実性、及び作業効率を向上させることができる間接活線工具の気密試験方法及びこの方法に使用する間接活線工具を提供する。【解決手段】  操作部１１を操作することにより可動する工具１０とを備えた中空のロッド本体９を有する間接活線工具８に適用され、対象空間に負圧を発生させる負圧発生装置４と、前記対象空間の圧力を測定する圧力測定器６とを備えた装置本体１からなる気密試験装置を用いた間接活線工具の気密試験方法であって、前記対象空間は前記ロッド本体９の内側の空間であり、前記負圧発生装置４により前記対象空間を負圧にした後、前記対象空間に前記圧力測定器６のみが接続された状態で、前記圧力測定器６で前記対象空間内の圧力変化を測定する。【選択図】        図１
2009017743.tif 000002
【特許請求の範囲】
【請求項１】
操作部と、当該操作部を操作することにより可動する工具とを備えた中空のロッド本体を有する間接活線工具に適用され、
対象空間に負圧を発生させる負圧発生装置と、
前記対象空間の圧力を測定する圧力測定器とを備えた装置本体からなる気密試験装置を用いた間接活線工具の気密試験方法であって、
前記対象空間は前記ロッド本体の内側の空間であり、
前記負圧発生装置により前記対象空間を負圧にした後、前記対象空間に前記圧力測定器のみが接続された状態で、前記圧力測定器で前記対象空間内の圧力変化を測定することを特徴とする間接活線工具の気密試験方法。
【請求項２】
前記負圧発生装置と前記圧力測定器は、流路切換弁を介して接続され、当該流路切換弁と前記ロッド本体が接続されることを特徴とする請求項１に記載の間接活線工具の気密試験方法。
【請求項３】
前記ロッド本体には、前記装置本体と接続するためのカプラを接続可能な接続口が形成され、当該接続口は前記ロッド本体の側壁を貫通して前記対象空間と連通することを特徴とする請求項１又は２に記載の間接活線工具の気密試験方法に用いる間接活線工具。
【請求項４】
前記接続口の内周にはネジ山が形成され、当該ネジ山にネジが螺合されることを特徴とする請求項３に記載の間接活線工具。
【請求項５】
前記ロッド本体は、筒状の外筒と、当該外筒内を摺動可能に備わる中軸とを有し、
前記操作部と前記工具は前記中軸を介して接続され、
前記中軸を摺動することにより、前記工具が可動し、
前記外筒と前記中軸の間に、前記外筒に固着された摺動部材が備わり、
当該摺動部材と前記中軸の摺動面に、頭部が開いた断面Ｙ字状のシール材が配設され、
前記頭部は、前記対象空間の外側を向くように配設され、
前記シール材と前記中軸は、前記頭部のみで接することを特徴とする請求項３又は４に記載の間接活線工具。
【発明の詳細な説明】
【技術分野】
【０００１】
この発明は、高圧配電線等の活線作業において使用される間接活線工具の気密試験方法及び間接活線工具に関するものである。
【背景技術】
【０００２】
ホットスティック等の間接活線工具を用い、活線から離れた位置で作業を行う間接活線工法が行われている。この間接活線工具は、手元の操作部を操作することにより、先端に備わる爪部材等の工具を操作して碍子や電線、カットアウト等の対象物を把持あるいは切断等するものである。
【０００３】
このような間接活線工具が特許文献１，２に開示されている。特許文献１の間接活線工具（間接活線用把持具）は、レバー１６を操作することにより、可動把持片１１を開閉操作して、対象物を把持する。このとき、筒状（パイプ状）の操作棒１内の連結棒１８を摺動動作させることにより行われる。特許文献２の間接活線工具は、外筒本体３０内の回転軸１２を回転させることによって、先端の工具を作動させて対象物に対して作業を施すものである。
【０００４】
このように、間接活線工具のロッド本体を中空の筒状として、このロッド本体内に操作部と把持具を連結する部材を収納する構造の場合、ロッド本体内に水が浸入することを防止する必要がある。すなわち、間接活線工具は確実な絶縁性が要求されているため、水の浸入はこの絶縁性が損なわれることになり、作業者に不具合が生じることになる。このため、従来では、Ｏリングやパッキン等を用いて水の浸入を防止する構造としたり、ロッド本体外側に傘状の安全鍔を設けて、水切りを向上させる構造としていた。
【０００５】
しかしながら、上述したような水の浸入防止構造を採用しても、ロッド本体に孔が開いていたり、あるいはＯリング等のシールの取付けに不備があって隙間が生じていたりしていた場合、作業中に水が浸入してから作業者が間接活線工具の不備に気づくことになる。このため、作業を開始してから間接活線工具を交換したり、予備の間接活線工具がない場合は作業を中止したりしなければならず、作業の確実性に欠けることになる。
【０００６】
このため、予めロッド本体の気密性を確認するために、気密試験が行われている。この気密試験としては、以下の態様がある。
【０００７】
（試験１）
ロッド本体を両端から加圧して、ロッド本体を水中に浸漬し、泡がロッド本体から発生したら気密性が不十分であると判断するものである。加圧操作は、ロッド本体の両端を気密試験用の治具で密閉して覆い、この治具内に加圧することにより行う。この試験１は、ロッド本体の外側から加圧するため、実際の使用における水の浸入方向（水はロッド本体の外側から内側に向けて浸入する）を考慮した気密状態を観察することができる。しかし、気密試験用の治具は、ロッド本体の両端をシール部分を含み完全に覆ってしまうので、シール部分の気密性が不完全であっても、泡の発生が観察できない。
【０００８】
（試験２）
ロッド本体を両端から加圧して、この加圧側空間を一定圧力状態で密閉し、この圧力が時間経過とともに変化するかを観測する。ロッド本体両端の気密構造に不具合があると、そこからロッド本体内に空気が流入し加圧側密閉空間の圧力が時間の経過とともに低下する。
【０００９】
【特許文献１】特開平１０−２６４０５６号公報
【特許文献２】特開平１０−９４１２４号公報
【発明の開示】
【発明が解決しようとする課題】
【００１０】
この発明は、上記従来技術を考慮したものであって、間接活線工具の特性を考慮して予め間接活線工具の防水性を確実に判断することができ、したがって水が浸入するおそれがない間接活線工具のみを作業に用いることができ、作業の確実性、及び作業効率を向上させることができる間接活線工具の気密試験方法及びこの方法に使用する間接活線工具の提供を目的とするものである。
【課題を解決するための手段】
【００１１】
前記目的を達成するため、請求項１の発明では、操作部と、当該操作部を操作することにより可動する工具とを備えた中空のロッド本体を有する間接活線工具に適用され、対象空間に負圧を発生させる負圧発生装置と、前記対象空間の圧力を測定する圧力測定器とを備えた装置本体からなる気密試験装置を用いた間接活線工具の気密試験方法であって、前記対象空間は前記ロッド本体の内側の空間であり、前記負圧発生装置により前記対象空間を負圧にした後、前記対象空間に前記圧力測定器のみが接続された状態で、前記圧力測定器で前記対象空間内の圧力変化を測定することを特徴とする間接活線工具の気密試験方法を提供する。
【００１２】
また、請求項２の発明では、請求項１の発明において、前記負圧発生装置と前記圧力測定器は、流路切換弁を介して接続され、当該流路切換弁と前記ロッド本体が接続されることを特徴としている。
【００１３】
また、請求項３の発明では、前記ロッド本体には、前記装置本体と接続するためのカプラを接続可能な接続口が形成され、当該接続口は前記ロッド本体の側壁を貫通して前記対象空間と連通することを特徴とする請求項１又は２に記載の間接活線工具の機密試験方法に用いる間接活線工具を提供する。
【００１４】
また、請求項４の発明では、請求項３の発明において、前記接続口の内周にはネジ山が形成され、当該ネジ山にネジが螺合されることを特徴としている。
【００１５】
また、請求項５の発明では、請求項３又は４の発明において、前記ロッド本体は、筒状の外筒と、当該外筒内を摺動可能に備わる中軸とを有し、前記操作部と前記工具は前記中軸を介して接続され、前記中軸を摺動することにより、前記工具が可動し、前記外筒と前記中軸の間に、前記外筒に固着された摺動部材が備わり、当該摺動部材と前記中軸の摺動面に、頭部が開いた断面Ｙ字状のシール材が配設され、前記頭部は、前記対象空間の外側を向くように配設され、前記シール材と前記中軸は、前記頭部のみで接することを特徴としている。
【発明の効果】
【００１６】
請求項１の発明によれば、負圧発生装置によりロッド本体内の対象空間を負圧にし、この後、圧力測定器で対象空間の圧力変化を測定するため、負圧が維持されていればロッド本体の気密性は十分であると判断することができる。このとき、対象空間を正圧ではなく負圧にするため、ロッド本体外側から内側に向けた気密性の有無を判断することができる。したがって、実際の使用における浸水の流れと同様の流れにおける気密性を判断できるため、間接活線工具の特性を考慮した確実な防水性を判断することができる。また、試験に際し、ロッド本体を水に浸漬する必要がないので、簡便かつ迅速に試験を行うことができる。
【００１７】
請求項２の発明によれば、気密試験装置の装置本体とロッド本体は、１箇所でのみ接続すればよいため、ロッド本体に接続のための加工を最小限にすることができる。また、測定に際しては、流路切換弁の切換弁を変更するだけで、対象空間の負圧発生と負圧測定を切り換えることができるので、操作が簡単であり、作業性が向上する。また、圧力の測定中、対象空間は圧力測定器のみと連通するので、対象空間内の圧力を確実に測定することができる。
【００１８】
請求項３の発明によれば、ロッド本体に装置本体と接続するためのカプラを接続可能な接続口が備わり、この接続口は対象空間と連通しているため、簡単な構造でロッド本体を気密試験装置の装置本体と接続することができる。
【００１９】
請求項４の発明によれば、接続口はネジにより開閉可能となるので、接続口の開閉動作が簡便となり、簡単な構造で、かつ迅速にロッド本体を気密試験装置の装置本体と接続することができる。
【００２０】
請求項５の発明によれば、頭部が開いた断面Ｙ字状のシール材が、外筒に固着された摺動部材と中軸の摺動面であって、頭部が対象空間の外側を向くように配設されるため、ロッド本体外側からの浸水を防止することができる。このシール材は、頭部側からの浸水を防止する方向性を有するシール材である。したがって、ロッド本体内の対象空間を負圧にしてこの負圧が維持されているか否かを測定する気密試験方法を、このようなシール材を用いた間接活線工具に適用することによって、確実な気密性の判断を行うことができる。
【発明を実施するための最良の形態】
【００２１】
この発明は、操作部と、当該操作部を操作することにより可動する工具とを備えた中空のロッド本体を有する間接活線工具に適用され、対象空間に負圧を発生させる負圧発生装置と、前記対象空間の圧力を測定する圧力測定器とを備えた装置本体からなる気密試験装置を用いた間接活線工具の気密試験方法であって、前記対象空間は前記ロッド本体の内側の空間であり、前記負圧発生装置により前記対象空間を負圧にした後、前記対象空間に前記圧力測定器のみが接続された状態で、前記圧力測定器で前記対象空間内の圧力変化を測定し、間接活線工具の特性を考慮して予め間接活線工具の防水性を確実に判断することができる間接活線工具の気密試験方法である。
【実施例】
【００２２】
図１はこの発明に係る間接活線工具の気密試験方法に用いる気密試験装置を用いて対象空間内を負圧にするときの概略図である。また、図２は対象空間内の圧力を測定するときの概略図である。
【００２３】
図１に示すように、気密試験装置である装置本体１は、エア取込口２と、開閉弁３と、負圧発生装置４と、流路切換弁５と、マノメータ（圧力測定器）６で構成される。エア取込口２はコンプレッサー等の正圧発生装置（図示省略）に接続され、装置本体１内に空気を取り入れる。開閉弁３は、エア取込口２と負圧発生装置４の流通経路を連通又は遮断するものである。流路切換弁５は、カプラ７を介して間接活線工具８のロッド本体９と接続される。カプラ７としては、空圧カプラを使用できる。これにより、中空のロッド本体９内の対象空間２０（図４、図５参照）は流路切換弁５を介して負圧発生装置４と連通する。
【００２４】
負圧発生装置４は、エア取込口２からの正圧空気を利用して対象空間に負圧を発生させる。すなわち、エア取込口２から取り込まれた空気は、開閉弁３を通って負圧発生装置４内に流入し、負圧発生装置４から排出される（矢印Ｄ方向）。このとき、この空気の流動を利用して、流路切換弁５を介して対象空間内の空気を吸引し、対象空間内を負圧にする。負圧発生装置４として、吸引ポンプを用いてもよい。
【００２５】
対象空間を負圧にした後、図２に示すように、開閉弁３を閉じ、流路切換弁５を切り換えて、対象空間とマノメータ６を連通させる。この状態で、マノメータ６は対象空間内の圧力を測定する。
【００２６】
間接活線工具８のロッド本体９には、工具となる爪部材１０と、操作部となる操作ハンドル１１が備わる。爪部材１０は、根元部を支点に回動可能な可動爪１２と、これと対向して設けられた固定爪１３で構成される。この可動爪１２と固定爪１３で碍子等の対象物を把持する。操作ハンドル１１を握ることにより、可動爪４を回動させることができる。１４は、傘状の安全鍔であり、雨きりの役を果たす。
【００２７】
図３はこの発明に係る間接活線工具の気密試験方法のフローチャート図である。
【００２８】
ステップＳ１：
ロッド本体にカプラを接続する。
【００２９】
ステップＳ２：
流路切換弁を切り換えて、対象空間と負圧発生装置を連通する。
【００３０】
ステップＳ３：
負圧発生装置により、対象空間内に負圧を発生させる。
【００３１】
ステップＳ４：
流路切換弁を切り換えて、対象空間とマノメータを連通する。
【００３２】
ステップＳ５：
マノメータにより、対象空間内の圧力変化を測定する。この測定は、例えば所定時間の最初と最後の対象空間内の圧力を測定することにより行う。あるいは、予め負圧発生装置にて対象空間内を設定圧力にし、所定時間経過後の対象空間内の圧力を測定することにより行う。このとき、圧力に変動があれば、ロッド本体の気密性が確保されていないと判断する。圧力に変動がなければ、気密性が確保されていると判断する。
【００３３】
ステップＳ６：
所定時間経過後、カプラをロッド本体から取り外す。
【００３４】
このように、負圧発生装置によりロッド本体内の対象空間を負圧にし、この後、圧力測定器で対象空間の圧力を測定するため、所定時間負圧が維持されていればロッド本体の気密性は十分であると判断することができる。このとき、対象空間を正圧ではなく負圧にするため、ロッド本体外側から内側に向けた気密性の有無を判断することができる。したがって、実際の使用における浸水の流れと同様の流れにおける気密性を判断できるため、間接活線工具の特性を考慮した確実な防水性を判断することができる。また、試験に際し、ロッド本体を水に浸漬する必要がないので、簡便かつ迅速に試験を行うことができる。このようにして気密性を判断することにより、絶縁性の高い間接活線工具のみを作業に用いることができ、活線作業の作業性及び効率が大幅に向上する。また、この試験は、製品が完成してからでもよいし、製品組立段階でも行うことができるので、間接活線工具の製造に関し製品の歩留まりが向上する。
【００３５】
また、流路切換弁を設けることにより、気密試験装置の装置本体とロッド本体は、１箇所でのみ接続すればよいため、ロッド本体に接続のための加工を最小限にすることができる。また、測定に際しては、流路切換弁の切換弁を変更するだけで、対象空間の負圧発生と負圧測定を切り換えることができるので、操作が簡単であり、作業性が向上する。このとき、対象空間は圧力測定器のみと連通するので、対象空間内の圧力を確実に測定することができる。
【００３６】
図４は図１のＡ部拡大図であり、図５は図１のＢ部拡大図である。
【００３７】
図４に示すように、ロッド本体９の先端側の外筒９ａ内に、操作ハンドル１１（図１、図２参照）によって動作する中軸１５が摺動可能に配設される。中軸１５の先端には連結部材１６が取り付けられ、これが爪部材１０（図１、図２参照）と連結される。したがって、中軸１５がロッド本体９内を前後方向に摺動することにより、連結部材１６を介して可動爪１２を回動させることになる。外筒９ａと連結部材１６との間には、筒状の摺動受部材１７が皿ネジ１８により固定される。連結部材１６は、摺動受部材１７に摺接する。摺動受部材１７の連結部材１６との摺動面には、環状であってその一端面頭部が開いた断面Ｙ字状のシール材１９が配設される。このシール材１９は、頭部が開いているため、頭部側からの浸水防止効果が高いものである。この頭部は外筒９ａの先端側、すなわち対象空間２０の外側に向けて配設される。このため、浸水しやすいロッド本体の先端部からの浸水を効果的に抑制することができる。
【００３８】
シール材１９は、連結部材１６と頭部のみで接する。シール材１９はゴム製等であるため摩擦係数が高いが、連結部材１６と頭部のみで接することにより、この摩擦係数を低減することができる。したがって、中軸１５をスムーズに摺動させることができる。したがって、作業性が向上し、操作性がよく、取り扱い性に優れている。
【００３９】
図５に示すように、外筒９ａと操作ハンドル１１の継目部分も、図４で示したような先端部分と同様の構成を備えている。すなわち、外筒９ａの内側に摺動受部材１７が固着され、中軸１５に取り付けられた連結部材１６との摺動面にはシール材１９が配設される。このとき、シール材１９の頭部は操作ハンドル１１側、すなわち後側（対象空間２０の外側）を向けて配設される。これにより、ロッド本体３の継目部分からの浸水を効率よく防止することができる。その他の構成、作用、効果は図４と同様である。
【００４０】
図４、図５に示したように、外筒９ａ内の空間が、上記負圧発生装置４により負圧にされる対象空間２０である。上述したように、対象空間２０は、連結部材１６と摺動受部材１７との間のシール材１９により、密閉される。この対象空間２０の気密性を測定するために、カプラ７（図１、図２参照）をロッド本体９に取り付ける必要がある。この取付けは、接続口２１を塞ぐネジ２２を取り外し、ここにカプラ７を接続することにより行われる。接続口２１はロッド本体９の側壁を貫通し、対象空間２０と連通している。これにより、簡単な構造でロッド本体９を気密試験装置の装置本体１と接続することができる。
【００４１】
また、図４、図５で示すような一方向のシール材を用いた間接活線工具にこの発明に係る機密試験方法を適用することにより、確実な気密性の判断を行うことができる。
【００４２】
なお、上述ではロッド本体９の軸方向に摺動する中軸１５を例にして説明したが、この発明に係る気密試験方法は、特に中軸の構成には限定されず、中空のロッド本体を有する間接活線工具について、ロッド本体内の空間の気密性を測定するのに幅広く適用できる。
【図面の簡単な説明】
【００４３】
【図１】この発明に係る間接活線工具の気密試験方法に用いる気密試験装置を用いて対象空間内を負圧にするときの概略図である。
【図２】対象空間内の圧力を測定するときの概略図である。
【図３】この発明に係る間接活線工具の気密試験方法のフローチャート図である。
【図４】図１のＡ部拡大図である。
【図５】図１のＢ部拡大図である。
【符号の説明】
【００４４】
１：装置本体、２：エア取込口、３：開閉弁、４：負圧発生装置、５：流路切換弁、６：マノメータ、７：カプラ、８：間接活線工具、９：ロッド本体、９ａ：外筒、１０；爪部材、１１：操作ハンドル、１２：可動爪、１３：固定爪、１４：安全鍔、１５：中軸、１６：連結部材、１７：摺動受部材、１８：皿ネジ、１９：シール材、２０：対象空間、２１：接続口、２２：ネジ
【図１】
2009017743.tif 000003
【図２】
2009017743.tif 000004
【図３】
2009017743.tif 000005
【図４】
2009017743.tif 000006
【図５】
2009017743.tif 000007